(57)【要約】【課題】  上移動刃の刃先を痛めることなくこの上移動刃に付着した断裁屑を確実にかつ低コストで排除できるようにする。【解決手段】  冊子の切揃え部分を切断する下固定刃210 と上移動刃320 を備える。冊子を下固定刃210 に対し位置決め搬送する搬送路400 を備える。下固定刃210 上に位置決め搬送された冊子の切揃え際でこの冊子を押える紙押え部310 を備える。その先端辺部分が上移動刃320 に対し、この上移動刃320 の刃先に接触することなくこれに接近した位置からこの刃先に対する予め定められた範囲内で弾性接触し、上移動刃との相対移動に伴ってこの上移動刃の刃先に続く斜面を掃引してこれに付着した断裁屑を除去する、弾性薄板で形成されたスクレーパ331 を設ける。【選択図】        図１
2005342854.tif 000002
【特許請求の範囲】
【請求項１】
複数枚の用紙が積層され綴じ処理された冊子に対し、その端縁部分を切り揃える断裁装置であって、次の各構成を有することを特徴とする断裁装置。
（イ）  前記冊子の切揃え部分下側に配置、固定された下固定刃
（ロ）  前記冊子を搬送して、この冊子の切揃え部分を前記下固定刃に対し位置決めして停止させ、かつ、前記冊子に対する切揃え処理後、この冊子を再搬送する搬送路
（ハ）  前記下固定刃上に位置決めされ停止している冊子を、その切揃え際で前記下固定刃に押付け固定し、前記冊子の切揃え処理後、その上方へと退避する紙押え部
（ニ）  前記下固定刃に押付け固定されている冊子に対し、その切揃え部分を、その上方から下方へと移動して切断し、この切断処理後、前記冊子の上方へと移動、退避する上移動刃
（ホ）  その先端辺部分が前記上移動刃に対し、この上移動刃の刃先には接触することなくこの刃先に接近した位置からこの刃先に対する予め定められた範囲内で弾性接触し、前記上移動刃との相対移動に伴ってこの上移動刃の刃先に続く斜面を掃引し、前記上移動刃に付着した断裁屑をこの上移動刃から除去する、弾性薄板で形成されたスクレーパ
【請求項２】
前記上移動刃が退避位置にあるときの、前記スクレーパの先端辺部分と前記上移動刃の刃先との間の位置関係は、前記スクレーパの先端辺部分が、前記上移動刃の刃先には接触することなくこの刃先に接近した位置にあってその位置での前記スクレーパの先端と前記上移動刃の刃先との間隔が、０．１〜１０ｍｍである請求項１記載の断裁装置。
【請求項３】
前記スクレーパは、その先端辺につながりこの先端辺に近い側辺部分に、その弾性薄板を前記上移動刃との接触側とは逆側に折り曲げて突出させた突起が形成された構造である請求項１記載の断裁装置。
【発明の詳細な説明】
【技術分野】
【０００１】
本発明は断裁装置に関し、特に複数枚の用紙が積層され綴じ処理された冊子に対しその小口部分を含む周辺部分を切り揃える断裁装置に関する。
【背景技術】
【０００２】
製本装置等において、複数枚の用紙が積層され綴じ処理された冊子は、その小口部分を含む周辺部分において、積層された用紙の端が不揃いになって見栄えが悪くなる。そこでこの冊子の周辺部分を切り揃える必要がある。
この切揃えは断裁装置によって行われるが、断裁され不要となった屑は、その幅が極めて小さいものから数ｍｍ、十数ｍｍとその範囲が広く、断裁屑は断裁刃に、静電気等により付着してその後の冊子断裁処理時に、その付着した断裁屑が冊子に紛れ込んでしまう。そこで、この断裁刃に付着した断裁屑を除去する手段が、断裁装置には必要である。
【０００３】
従来のこの種の断裁装置の第１の例を図５に示す。
この従来の断裁装置の第１の例は、断裁刃が下固定刃２１０と上移動刃３２０とから成り、挿入口側搬送ローラ１２０ｘの回転により、冊子の切揃え部分を、下固定刃２１０に位置合わせ停止させ、その上方から上移動刃３２０を下方へ移動させて冊子の切揃え部分を断裁する。この断裁処理において、まず、冊子が切断領域に到達する前に、空気流がバイパス・ダクト７３０を通るよう送られ、冊子が切断位置に到着すると上移動刃３２０が切断動作に入り、バルブ７１０により空気流がディフューザ７２０にも通るようにする。この動作制御はセンサ７４０による冊子の位置検出により行われる。
【０００４】
上移動刃３２０による冊子の切断位置が切断されると、バイパス・ダクト７３０への空気流がバルブ７１０により止められ、空気流はディフューザ７２０から送られるようになる。その結果、断裁屑は上移動刃３２０に付着することなくスクラップ収容箱５００ｘへと排出される。切断処理された冊子は搬送路４００ｘを通って次の工程へと流れて行く（例えば、特許文献１参照）。
【０００５】
次に、従来の断裁装置の第２の例について、図６を参照して説明する。
この従来の断裁装置の第２の例においても、断裁刃は下固定刃部２００ｙの下固定刃と上移動刃３２０ｙとから成り、冊子８００ｙの切断対象部分が下固定刃部２００ｙに対して位置決めされて紙押え部３１０ｙでその切断部分際が下固定刃部２００ｙに押え付け、固定される。その後、上移動刃３２０ｙが冊子８００ｙ上方から下方へと移動し、下固定刃部２００ｙとの共働により、冊子８００ｙの切断対象部分が切断される。
【０００６】
上移動刃３２０ｙに付着した断裁屑を除去するために、先端にブラシ７５１を配置したスクレーパ７５０が設けられている。このスクレーパ７５０のブラシ７５１が上移動刃３２０ｙに接触していて、上移動刃３２０ｙの切断動作の際の移動によって（特に上移動刃３２０ｙの戻り動作時に）ブラシ７５１が上移動刃３２０ｙの刃先とその近辺を掃引し、断裁屑を除去ようになっている（特許文献２参照）。
【特許文献１】特開平７−１７２０８０号公報
【特許文献２】特公昭６２−４７６７４号公報
【発明の開示】
【発明が解決しようとする課題】
【０００７】
上述した背景技術における断裁装置は、その第１の例では、空気流を、ディフューザ７２０を通して上移動刃３２０に吹きつけ、この上移動刃３２０に付着した断裁屑を空気流で吹き飛ばす構成、構造となっているので、静電気等で付着した断裁屑を上移動刃３２０から排除するためには、少々の圧搾空気では排除することができないため、圧搾空気の圧力を高めるためのコンプレッサが必要となってコスト高になる、という問題点があり、第２の例では、先端にブラシ７５１が配置されたスクレーパ７５０を設け、このスクレーパ７５０のブラシ７５１を上移動刃３２０ｙに接触させてこの上移動刃３２０ｙの上下移動により、上移動刃３２０ｙの刃先及びその近辺を掃引して付着した断裁屑を排除する構成、構造となっているので、ブラシ７５１の材質によっては、上移動刃３２０ｙの刃先を痛めることになったり、上移動刃３２０ｙの刃先でブラシ７５１が切断されて断裁屑の排除効果が上らなくなる、という問題点がある。
【０００８】
本発明の目的は、上記背景技術の問題点に鑑みて、上移動刃の刃先を痛めることなくこの上移動刃に付着した断裁屑を確実かつ低コストで排除することができる断裁装置を提供することにある。
【課題を解決するための手段】
【０００９】
本発明の断裁装置は、複数枚の用紙が積層され綴じ処理された冊子に対し、その端縁部分を切り揃える断裁装置であって、次の各構成を有することを特徴とする。
（イ）  前記冊子の切揃え部分下側に配置、固定された下固定刃
（ロ）  前記冊子を搬送して、この冊子の切揃え部分を前記下固定刃に対し位置決めして停止させ、かつ、前記冊子に対する切揃え処理後、この冊子を再搬送する搬送路
（ハ）  前記下固定刃上に位置決めされ停止している冊子を、その切揃え際で前記下固定刃に押付け固定し、前記冊子の切揃え処理後、その上方へと退避する紙押え部
（ニ）  前記下固定刃に押付け固定されている冊子に対し、その切揃え部分を、その上方から下方へと移動して切断し、この切断処理後、前記冊子の上方へと移動、退避する上移動刃
（ホ）  その先端辺部分が前記上移動刃に対し、この上移動刃の刃先には接触することなくこの刃先に接近した位置からこの刃先に対する予め定められた範囲内で弾性接触し、前記上移動刃との相対移動に伴ってこの上移動刃の刃先に続く斜面を掃引し、前記上移動刃に付着した断裁屑をこの上移動刃から除去する、弾性薄板で形成されたスクレーパ
【００１０】
また、前記上移動刃が退避位置にあるときの、前記スクレーパの先端辺部分と前記上移動刃の刃先との間の位置関係は、前記スクレーパの先端辺部分が、前記上移動刃の刃先には接触することなくこの刃先に接近した位置にあってその位置での前記スクレーパの先端と前記上移動刃の刃先との間隔が、０．１〜１０ｍｍである構造を有している。
【００１１】
また、前記スクレーパは、その先端辺につながりこの先端辺に近い側辺部分に、その弾性薄板を前記上移動刃との接触側とは逆側に折り曲げて突出させた突起が形成された構造を有している。
【発明の効果】
【００１２】
本発明の断裁装置は、その先端辺部分が、上移動刃に対し、この上移動刃の刃先には接触することなく接近した位置からこの刃先に対する予め定められた範囲内で弾性接触し、上記上移動刃との相対移動に伴ってこの上移動刃表面を掃引し、この上移動刃に付着した断裁屑をこの上移動刃から除去する、弾性薄板で形成されたスクレーパが設けられた構造、構成となっているので、上移動刃の刃先を痛めることなく、付着した断裁屑を確実に上移動刃から除去することができ、しかも構造、構成が単純であるので、低コスト化することができる、という効果がある。
【００１３】
なお、上記スクレーパは、その先端辺につながり、この先端辺に近い側辺部分に、その弾性薄板を上移動刃との接触側とは逆側に折り曲げて突出させた突起が形成された構造とすることにより、上移動刃から除去された断裁屑がスクレーパに再付着するのを防止することができ、断裁屑の除去効果を維持することができる。
【発明を実施するための最良の形態】
【００１４】
本発明を実施するための最良の実施の形態は、
複数枚の用紙が積層され綴じ処理された冊子に対し、その端縁部分を切り揃える断裁装置であって、
上記冊子の切揃え部分下側に配置、固定された下固定刃と、
上記冊子を搬送して、この冊子の切揃え部分を上記下固定刃に対し位置決めして停止させ、かつ、上記冊子に対する切揃え処理後、この冊子を再搬送する搬送路と、
上記下固定刃上に位置決めされ停止している冊子を、その切揃え際で上記下固定刃に押付け固定し、上記冊子の切揃え処理後、その上方へと退避する紙押え部と、
上記下固定刃に押付け固定されている冊子に対し、その切揃え部分を、その上方から下方へと移動して切断し、この切断処理後、上記冊子の上方へと移動、退避する上移動刃と、
その先端辺部分が上記上移動刃に対し、この上移動刃の刃先には接触することなくこの刃先に接近した位置からこの刃先に対する予め定められた範囲内で弾性接触し、上記上移動刃との相対移動に伴ってこの上移動刃の刃先に続く斜面を掃引し、上記上移動刃に付着した断裁屑をこの上移動刃から除去する、弾性薄板で形成されたスクレーパと、
を有して構成され、
更に、
上記上移動刃が退避位置にあるときの、上記スクレーパの先端辺部分と上記上移動刃の刃先との間の位置関係は、上記スクレーパの先端辺部分が、上記上移動刃の刃先には接触することなくこの刃先に接近した位置にあってその位置での上記スクレーパの先端と上記上移動刃の刃先との間隔が、０．１〜１０ｍｍである構造を有し、また、
上記スクレーパは、その先端辺につながりこの先端辺に近い側辺部分に、その弾性薄板を上記上移動刃との接触側とは逆側に折り曲げて突出させた突起が形成された構造である構成を有している。
【実施例１】
【００１５】
次に本発明の実施例１について図面を参照して説明する。
図１はこの実施例１を説明するための断裁装置全体の要部側面図、図２（ａ）〜（ｅ）はその断裁動作、断裁屑除去動作を説明するためのその動作関連部分の側面図である。
この実施例１における断裁装置は、複数枚の用紙が積層され綴じ処理された冊子８００に対し、その端縁部分を切り揃える断裁装置であって、
冊子８００の切揃え部分の下側に配置、固定された下固定刃２１０を含む下固定刃部２００と、
冊子８００を搬送して、この冊子８００の切揃え部分を下固定刃２１０に対し位置決めして停止させ、かつ、冊子８００に対する切揃え処理後、この冊子８００を再搬送する、上搬送ベルト４１０、下搬送ベルト４２０、及びストッパ４３０を含む搬送路４００と、
下固定刃２１０上に位置決め停止している冊子８００を、その切揃え際で下固定刃部２００に押付け固定し、冊子８００の切揃え処理後、その上方へと退避する紙押え部３１０と、
下固定刃部２００に押付け固定されている冊子８００に対し、その切揃え部分を、その上方から下方へと移動して切断し、この切断処理後、冊子８００の上方へと移動、退避する上移動刃３２０と、
その先端辺部分が上移動刃３２０に対し、この上移動刃３２０の刃先には接触することなくこの刃先に接近した位置からこの刃先に対する予め定められた範囲内で弾性接触し、上移動刃３２０との相対移動に伴ってこの上移動刃３２０の刃先に続く斜面を掃引し、この上移動刃３２０に付着した断裁屑を上移動刃３２０から除去する、弾性薄板で形成されたスクレーパ３３１と、
断裁屑を収納するスクラップ・収納箱５００と、冊子を搬入する冊子挿入口１１０と、冊子８００を搬入する挿入口側搬送ローラ１２０と、
を有して構成され、スクレーパ３３１は付着スクラップ除去部３３０を構成し、また、紙押え部３１０、上移動刃３２０、及び付着スクラップ除去部３３０で紙押え・移動刃部３００を構成する構造となっている。
【００１６】
なお、その他の構造、構成として、例えば、スクレーパ３３１と上移動刃３２０との相対移動に関する機構構成等は、上移動刃３２０の上方から下方、下方から上方への往復移動は、図示されていない移動手段により上下移動され、また、紙押え部３１０は、上移動刃３２０に対して図１に示す上下方向に移動可能に取付けられていて、バネにより下固定刃２１０の方向に常に付勢されている。紙押え部３１０に形成された長穴と上移動刃３２０に設けられた規制部材（軸）とが嵌合しており、紙押え部３１０は上移動刃３２０に対して上下方向の移動範囲が決められている。
【００１７】
更に、付着スクラップ除去部３３０と紙押え部３１０とは固着されており、また、紙押え・移動刃部３００が停止位置にあるときは、紙押え部３１０と上移動刃３２０との位置関係が常に一定になるように構成されている。
【００１８】
次に、この実施例１における、紙押え、冊子切断、及びスクラップ除去動作について図２（ａ）〜（ｅ）を参照して説明する。
まず図２（ａ）に示すように、紙押え部３１０、上移動刃３２０、及びスクレーパ３３１を含む紙押え・移動刃部３００は、冊子８００が、下固定刃２１０を含む下固定刃部２００上に位置決め搬送されるまでその上方に退避している。
このときの上移動刃３２０とスクレーパ３３１の先端辺部分との位置関係は、スクレーパ３３１の先端辺部分が、上移動刃３２０の刃先には接触することなくこの刃先に接近した位置にあって、上移動刃３２０の刃先に続く斜面に弾性接触しており、その寸法、即ち、上移動刃３２０の刃先とスクレーパ３３１の先端辺との間隔ｄは、０．１〜１０ｍｍとなっている。
【００１９】
冊子８００の切揃え対象部分が下固定刃部２００上に位置決めされると、図２（ｂ）に示すように、上移動刃３２０が下りてきて、その刃先が冊子８００上近くまで移動する。このとき、紙押え部３１０も上移動刃３２０と追従して下りてきて冊子８００の断裁際部分をその上方から下固定刃部２００に対して押えつけて固定し停止する。また、スクレーパ３３１も上移動刃３２０と追従して下りてきて紙押え部３１０が冊子８００の断裁際部分を押えつけて停止したときに停止する。
【００２０】
次に図２（ｃ）に示すように、上移動刃３２０により、冊子８００の断裁対象部分が断裁され、この部分が切り揃えられる。このとき、紙押え部３１０による冊子８００の下固定刃部２００に対する押し付けは、前述の図２（ｂ）の場合より強くなる。また、スクレーパ３３１は、上移動刃３２０を保持している移動刃保持座金３４０によって上移動刃３２０から離れた位置にある。
【００２１】
冊子８００の上移動刃３２０による断裁、切揃えの動作が終了すると、図２（ｄ）、（ｅ）に示すように、上移動刃３２０は上方へと移動し、冊子８００上方に退避することになる。この上移動刃３２０の退避移動に伴って、上移動刃３２０とスクレーパ３３１との間には紙押え部３１０が冊子８００から離間するまで相対移動が生じ、スクレーパ３３１の先端辺が上移動刃３２０の表面を弾性接触しながら掃引し、上移動刃３２０の表面に付着した断裁屑を上移動刃３２０から除去する。
この一連の動作は、図示されていない制御回路によって制御される。
【００２２】
この実施例１では、スクレーパ３３１が上移動刃３２０の、刃先に続く斜面に弾性接触するものの、その刃先に接触しないので、上移動刃３２０の刃先を痛めることはなく、また、この刃先によってスクレーパ３３１も痛められることはないので、断裁屑の除去効果が低下することもない。また、スクレーパ３３１を含む断裁屑除去動作に関する部分の構造は単純化されているので、全体のコストも低減することができる。
【実施例２】
【００２３】
次に、本発明の実施例２について図３を参照して説明する。
図３は本発明におけるスクレーパ３３１の先端辺に近い部分の斜視図である。
このスクレーパ３３１は、その先端辺につながりこの先端辺に近い側辺部分に、その弾性薄板を、上移動刃３２０との接触側とは逆側に折り曲げて突出させた形状の、先端サイド突起３３２及びサイド突起３３３を設けた構造となっている。
【００２４】
このような構造とすることにより、これら突起によって上移動刃３２０から除去された断裁屑がスクレーパ３３１に再付着するのを防止することができ、断裁屑除去効果を維持することができる。
なお、紙押え部の変形例として、図４に示すような構造とすることもできる。
【図面の簡単な説明】
【００２５】
【図１】本発明の実施例１を説明するための断裁装置全体の要部側面図である。
【図２】本発明の実施例１における断裁及び断裁屑除去動作を説明するためのこれら動作関連部分の側面図である。
【図３】本発明の実施例２におけるスクレーパの先端辺部分の斜視図である。
【図４】本発明の、紙押え部の変形例を示す紙押え部分の側面図である。
【図５】背景技術における断裁装置の第１の例を説明するための装置全体の要部側面図である。
【図６】背景技術における断裁装置の第２の例を説明するための要部側面図である。
【符号の説明】
【００２６】
１１０  冊子挿入口
１２０，１２０ｘ  挿入口側搬送ローラ
２００，２００ｙ  下固定刃部
２１０  下固定刃
３００  紙押え・移動刃部
３１０，３１０ｘ，３１０ｙ  紙押え部
３２０，３２０ｙ  上移動刃
３３０  付着スクラップ除去部
３３１  スクレーパ
３３２  先端サイド突起
３３３  サイド突起
３４０  移動刃保持座金
４００，４００ｘ  搬送路
４１０  上搬送ベルト
４２０  下搬送ベルト
４３０  ストッパ
５００，５００ｘ  スクラップ収容箱
７１０  バルブ
７２０  ディフューザ
７３０  バイパス・ダクト
７４０  センサ
７５０  スクレーパ
７５１  ブラシ
８００，８００ｙ  冊子
【図１】
2005342854.tif 000003
【図２】
2005342854.tif 000004
【図３】
2005342854.tif 000005
【図４】
2005342854.tif 000006
【図５】
2005342854.tif 000007
【図６】
2005342854.tif 000008